(57)【特許請求の範囲】
【請求項１】
書込みユニットを表裏から挟むように表面枠ユニット及び裏面枠ユニットが取り付けられ、かつ表面枠ユニット側に書込みユニットの書込み面が露出される電子黒板において、
前記表面枠ユニット及び裏面枠ユニットの少なくとも一方は、樹脂のブロー成形により、書込みユニットを収納する窓部の周囲に、中空の周辺部がほぼ四角の枠状に形成されたことを特徴とする電子黒板。
【請求項２】
情報の書込み面が一体化された書込みボードにより書込みユニットが構成される電子黒板において、
前記書込みボードは樹脂のブロー成形により中空に形成され、この書込みボードの側面に上カバー、下カバー、左カバーおよび右カバーが取付けられて書込みユニットが構成されたことを特徴とする電子黒板。
【請求項３】
移動可能な書込みシートの表面により情報の書込み面が形成され、この書込みシートを支持ボードの表面に張り渡して書込みユニットが構成される電子黒板において、
前記支持ボードは樹脂のブロー成形により中空に形成され、この支持ボードの側面に上カバー、下カバー、左カバーおよび右カバーが取付けられて書込みユニットが構成されたことを特徴とする電子黒板。
【発明の詳細な説明】
【０００１】
【発明の属する技術分野】
本発明は筐体構造を改良した電子黒板に関し、詳しくは、筐体の軽量化、光学的な安定性向上、及び書き込み面の平坦性向上等を可能にした電子黒板に関する。
【０００２】
【従来の技術】
電子黒板は、書込み易さの観点から、書込み面の強度や平坦性が要求される。また、電子黒板は光源やイメージセンサ等の光学系を有するため、光学的に安定性のある筐体構造が必要である。
【０００３】
このため、従来の筐体は図５に示すように構成されていた。
図５において、５１，５２，５３は溶接によってほぼコ字形に連結、形成された鉄パイプであり、その内側に枠体５４が固着されて背面フレーム５５が形成されている。５６は、背面フレーム５５の裏面に取り付けられる背面板である。
【０００４】
また、書込みユニット５７は、図６に示すごとく金属製の型材５８を裏面に取り付けたハードボード５９を用い、その両側に配置したローラ６０の回転により書込みシート６１を移動させるように形成されている。
なお、図５において、６２はほぼコ字形の表面フレーム、６３は操作部、６４は下部フレームである。
【０００５】
従来では、上述した背面フレーム５５の構造により筐体の剛性を高め、光学的安定性を確保すると共に、ハードボード５９の使用によって書込み面の強度や平坦性を確保していた。
【０００６】
【発明が解決しようとする課題】
しかるに、このような筐体構造では鉄等の金属部品を多く使うため重くなり、製造上、輸送上の難点があった。また、使用時に移動、携帯する際も不便が多く、壁に掛けて使うことも場合によっては不可能であった。
一方、射出成形により筐体を樹脂化して軽量にすることも考えられるが、一般に強度が不足し、また、書込み面の平坦性が得にくいと共に、金型が高価になって製造コストが増加する等の問題がある。
【０００７】
そこで本発明は、筐体の主要部を樹脂のブロー成形によって形成し、筐体の軽量化、強度の向上並びに製造コスト、輸送コストの低減を図り、更に書込み面の平坦性を高めた電子黒板を提供しようとするものである。
【０００８】
【解決を解決するための手段】
上記課題を解決するため、請求項１記載の発明は、書込みユニットを表裏から挟むように表面枠ユニット及び裏面枠ユニットが取り付けられ、かつ表面枠ユニット側に書込みユニットの書込み面が露出される電子黒板において、前記表面枠ユニット及び裏面枠ユニットの少なくとも一方は、樹脂のブロー成形により、書込みユニットを収納する窓部の周囲に、中空の周辺部がほぼ四角の枠状に形成されたものである。
すなわち本発明では、表面枠ユニットまたは裏面枠ユニットの何れか一方、もしくはその双方をブロー成形により形成する。
【０００９】
請求項２記載の発明は、情報の書込み面が一体化された書込みボードにより書込みユニットが構成される電子黒板において、前記書込みボードは樹脂のブロー成形により中空に形成され、この書込みボードの側面に上カバー、下カバー、左カバーおよび右カバーが取付けられて書込みユニットが構成されたものである。
ここで、書込み面は、書込みボードを適宜表面処理して形成するか、書込みボードの表面にシート等を貼って形成される。
【００１０】
請求項３記載の発明は、移動可能な書込みシートの表面により情報の書込み面が形成され、この書込みシートを支持ボードの表面に張り渡して書込みユニットが構成される電子黒板において、前記支持ボードは樹脂のブロー成形により中空に形成され、この支持ボードの側面に上カバー、下カバー、左カバーおよび右カバーが取付けられて書込みユニットが構成されたものである。
つまり本発明では、書込みシートを移動可能とした電子黒板において、書込みシートの背後にある支持ボードをブロー成形により形成する。
【００１１】
【発明の実施の形態】
以下、図に沿って本発明の実施形態を説明する。図１、図２は請求項１に記載した発明の実施形態を示すもので、この実施形態は、図１の表面枠ユニット１００と図２の裏面枠ユニット２００とを組み合わせて筐体を形成するものである。
【００１２】
図１（Ａ）において、表面枠ユニット１００は、矩形の窓部１０１とその周囲の中空の周辺部１０２とからなり、全体がほぼ四角形の枠状に形成されている。なお、図１（Ｂ）は図１（Ａ）のＡ−Ａ断面図である。
この表面枠ユニット１００は、金型内の樹脂に空気を注入して成形するブロー成形によって形成されており、中央の窓部１０１は、図５に示したような書込みユニット５７を収納するためのものである。
【００１３】
図２に示す裏面枠ユニット２００も、書込みユニット５７を収納する窓部２０１と、その周囲の中空の周辺部２０２とを有しており、表面枠ユニット１００と同様にブロー成形にてほぼ四角形の枠状に形成されている。
組立に当たっては、書込みユニット５７を表面枠ユニット１００及び裏面枠ユニット２００によって表裏から挟み込み、両ユニット１００，２００をねじ止めして全体を一体構造とする。
これにより、書込みユニット５７の書込みシート６１の表面（書込み面）が表面枠ユニット１００側に露出する。
【００１４】
この実施形態によれば、前記周辺部１０２，２０２が中空になっているので、表面枠ユニット１００、裏面枠ユニット２００の軽量化を図りつつ一定の強度を持たせることができる。
また、ブロー成形を用いることによって各ユニット１００，２００の平坦性が確保され、これらを一体化した際に歪みや隙間を生じることなく、堅牢で寸法精度の高い筐体を提供することができる。従って、電子黒板の光学系を支持する筐体として、安定した構造が得られるものである。
更に、ブロー成形では、射出成形等に比べて成形時の圧力が少なくて済み、成形機や金型が安価になるため、筐体の製造コストを大幅に低減することができる。
【００１５】
次に、図３は請求項２に記載した発明の実施形態を示しており、（Ａ）は分解斜視図、（Ｂ）は組み立てた状態の縦断面図、（Ｃ）は斜視図である。
この実施形態では、書込みユニット３００としてブロー成形により中空の書込みボード３０１を形成し、その表面を書込み消去可能なように表面処理するか、あるいはこの書込みボード３０１の表面にシート状または板状の部材を貼って書込み部３０２が形成される。いずれにしても、この実施形態では情報の書込み面が書込みボード３０１に一体化されている。
【００１６】
また、書込みボード３０１の周囲には押し出し成形等により形成した上カバー３０３、下カバー３０４、左カバー３０５、右カバー３０６が取り付けられ、背面にパーティクルボード等のバックパネル３０７が取り付けられて全体が構成される。
【００１７】
更に、図４は請求項３に記載した発明の実施形態を示しており、（Ａ）は分解斜視図、（Ｂ）は組み立てた状態の縦断面図、（Ｃ）は斜視図である。この実施形態は、書込みユニット３１０の構造以外は図３と同一である。
図４における書込みユニット３１０は、図３における書込みボード３０１と同一構造の支持ボード３１１をブロー成形により作り、その両側に配置したローラ３１３の回転によって書込みシート３１２を移動させるように形成されている。
【００１８】
これらの図３、図４の実施形態によれば、書込みユニット３００（書込みボード３０１）自体、または書込みユニット３１０の支持構造体としての支持ボード３１１がブロー成形によって形成されているため、書込み面の平坦性が得やすく、使い勝手の良い電子黒板を得ることができる。
同時に、電子黒板として体積上、大きなウェイトを占める書込みユニット３００，３１０の主要部が中空であるので、電子黒板の一層の軽量化が可能である。
【００１９】
【発明の効果】
以上のように請求項１記載の発明によれば、書込みユニットを包囲する枠状の筐体を樹脂のブロー成形により形成するため、鉄等の金属を主要材料とするものに比べて電子黒板の大幅な軽量化が可能になる。従って、製造時、輸送時の労力が軽減され、使用時の携帯性も向上すると共に、壁掛け式の軽量な電子黒板も容易に実現可能である。
【００２０】
また、金属製の筐体に比べて遜色のない強度、剛性が得られ、光学的にも安定した構造を得ることができる。
更に、製造コスト、輸送コストの低減が可能になる。
【００２１】
請求項２または３記載の発明によれば、書込み時の力が直接加わる書込みボードまたは支持ボードの平坦性を高めることができ、使い勝手の良い電子黒板を提供することができる。
【図面の簡単な説明】
【図１】請求項１に記載した発明の実施形態における表面枠ユニットの説明図である。
【図２】請求項１に記載した発明の実施形態における裏面枠ユニットの説明図である。
【図３】請求項２に記載した発明の実施形態を示す図である。
【図４】請求項３に記載した発明の実施形態を示す図である。
【図５】従来技術における筐体の分解斜視図である。
【図６】従来技術における書込みユニットの斜視図である。
【符号の説明】
１００  表面枠ユニット
１０１，２０１  窓部
１０２，２０２  周辺部
２００  裏面枠ユニット
３００，３１０  書込みユニット
３０１  書込みボード
３０２  書込み部
３０３  上カバー
３０４  下カバー
３０５  左カバー
３０６  右カバー
３０７  バックパネル
３１１  支持ボード
３１２  書込みシート
３１３  ローラ
【図１】
0003661815.tif 000002
【図２】
0003661815.tif 000003
【図３】
0003661815.tif 000004
【図４】
0003661815.tif 000005
【図５】
0003661815.tif 000006
【図６】
0003661815.tif 000007